(57)【要約】      （修正有）【課題】少なくとも２個の接着テープロールをセットして、接着テープを側辺同士一部重ねて接着一体化しながら被貼付面上に操り出すことの出来るものとして、重ねた接着テープを引き出す時に貼り合わせが強固なものとなり、しかも、右利き、左利きどちらでも、テープを入れ替えるだけで使える養生接着テープホルダーを提供する。【解決手段】少なくとも２個の接着テープロール６，７を各ロ−ルから繰り出した接着テープ１１，１２が側辺に於いて一部重なるように、前後及び左右（軸心方向）に位置をずらせて回転可能に支持する支持部を備え、この各支持部に支持された各ロールから操り出した接着テープを一部重なる状態で被貼付面に押しつけるための押しつけ接着用繰り出し部２４を設けてなる養生接着テープホルダーにおいて、前記押しつけ接着用繰り出し部は円柱体２５を隙間を存して相互に近接させ、かつ、ホルダー先端の上下方向中央に設けた。【選択図】図５
2019137553.tif 000002
【特許請求の範囲】
【請求項１】
少なくとも２個の接着テープロールを各ロ−ルから繰り出した接着テープが側辺に於いて一部重なるように、前後及び左右（軸心方向）に位置をずらせて回転可能に支持する支持部を備え、この各支持部に支持された各ロールから操り出した接着テープを一部重なる状態で被貼付面に押しつけるための押しつけ接着用繰り出し部を設けてなる養生接着テープホルダーにおいて、前記押しつけ接着用繰り出し部は円柱体を隙間を存して相互に近接させ、かつ、ホルダー先端の上下方向中央に設けたことを特徴とする養生接着テープホルダー。
【請求項２】
押しつけ接着用繰り出し部の円柱体は、一方を繰り出し時のテープ押し付け用とし、他の一方を非操り出し時のテープ保持用とする請求項１記載の養生接着テープホルダー。
【請求項３】
支持部は、対向する側壁板間に設ける請求項１または請求項２記載の養生接着テープホルダー。
【請求項４】
支持部は、手で握り可能な把持体側面から突設して設けた請求項１または請求項２記載の養生接着テープホルダー。
【請求項５】
支持部は、把持体側面から突設する軸とこれも嵌合する円柱体カートリッジであり、軸の突設根元部には厚さの異なる台板をそれぞれ設け、各円柱体カートリッジは前記軸に対する嵌合位置を調整可能とした請求項４記載の養生接着テープホルダー。
【請求項６】
円柱体カートリッジの軸に対する嵌合は、固定用割りパイプによるスペーサを介在させて行う請求項５記載の養生接着テープホルダー。
【発明の詳細な説明】
【技術分野】
【０００１】
本発明は、少なくとも２個の接着テープロールをセットして、側辺同士一部重ねて接着一体化しながら被貼付面上に操り出すことの出来る養生接着テープホルダーに関するものである。
【背景技術】
【０００２】
防水工事におけるウレタン塗膜防水樹脂などの吹き付け塗装作業時には、非塗装領域を接着テープによりカバーして塗料が非塗装領域に付着するのを防止するための養生作業が行われる。
【０００３】
この養生方法は、片面養生接着テープをその一側辺が前記境界線と合致するように当該境界線にわたって貼付せしめる方法である。
【０００４】
さらに、ベース塗料の塗装の上にトップコートの塗装を施す場合には、ベース塗料を塗って、乾いたらトップコートを塗るが、多少広く塗るためにトップコートの端は下塗の端よりはみ出すことが望ましい。
【０００５】
このように上下に重ねて塗装を行う場合には、作業工程に応じて上のテープを順次剥がすために養生テープも上下重ねて、かつ、側辺に於いて一部重なるように貼る必要があり、作業が非常に困難で能率良く作業を遂行することが出来なかった。養生接着テープが２重になって２ｍｍ程度のギャップをつけるものである。
【０００６】
下記特許文献は一般的な片面接着テープロールを複数個利用して貼付に使用することが出来る接着テープロールホルダーである。
【特許文献１】特開昭６１−１０１３６４号公報
【０００７】
図２０、図２１に示すように、ホルダー本体１は一側方に接着テープロール装着用開口部を備え、この接着テープロール装着用開ロ部を開閉する開閉側板２が蝶番３によって枢着されている。
【０００８】
前記接着テープロール装着用開口部に対向するホルダー本体１の側板内面１ａからは、接着テープロール支持部４，５を突設した。
【０００９】
接着テープロール支持部４，５は、夫々接着テープロール６，７を回転自在に外嵌得る軸体４ａ，５ａを備え、一方の支持部４の軸体４ａは接着テープロール６を前記ホルダー本体側板内面１ａに接近した位置に支持するのに対し、他方の支持部５の軸体５ａは接着テープロール７を前記接着テープロール６よりも後方で且つ開閉側板２に接近した位置に支持する。
【００１０】
８，９は、前記開閉側板２の接着テープロール支持部４，５に対向する位置から突設された押さえ部材であって、開閉側板２を閉じたときに前記支持部４，５の遊端に嵌合する嵌合部８ａ，９ａと、各支持部４，５の軸体４ａ，５ａから接着テープロール６，７が外れるのを防止するストッパー部８ｂ，９ｂとを備えている。
【００１１】
１０は、各支持部４，５の軸体４ａ，５ａに支持された各接着テープロール６，７から繰り出した接着テープ１１，１２を側辺に於いて一部重なる状態で被貼付面１３に押しつけるための回転可能な押し付け接着用ローラであってホルダー本体１の先端開口部１４から一部突出する状態で支軸１５により枢着されている。
【００１２】
ホルダー本体１の先端開口部１４の前縁部に接着テープ切断補助用刃体１６を下向きに突出させた。
【００１３】
使用に際しては、両支持部４，５に支持された接着テープロール６，７から繰り出した接着テープ１１，１２を押し付け接着用ローラ１０の下側で側辺同士を互いに重ねた状態でホルダー本体１の先端開口部１４から接着テープ切断補助用刃体１６の下側に引き出す。
【００１４】
このとき、接着テープ１１，１２の粘着剤層１１ａ，１２ａが互いに対面し、その側辺重なり部１７に於いて両接着テープ１１，１２が互いに接着しあうように、接着テープロール６，７の向きを互いに逆にして支持部４，５に支持させる。
【００１５】
図示例では、接着テープ１２の粘着剤層１２ａが押し付け接着用ローラ１０の周面と接触する側に両接着テープロール６，７をセットしている。
【００１６】
前記のように接着テープ１１，１２を押し付け接着用ローラ１０の外側に引き出したならば、当該ローラ１０により両接着テープ１１，１２を被貼付面１３に押しつけた状態でホルダー本体１を図２０の矢印１８の方向に移動させることにより、接着テープ１１がその粘着剤層１１ａを介して被貼付面１３に貼り付けられながら接着テープロール６から引き出され、同時に倒辺重なり部１７に於いて前記接着テープ１１に接着されている他方の接着テープ１２も接着テープロール７から引き出される。
【００１７】
すなわち、図２２に示すように２本の接着テープ１１、１２から形成された両面接着テープ１９として被貼付面１３に貼り付けることが出来る。
【００１８】
所定長さにわたって両面接着テープ１９を貼付し終わったならば、ホルダー本体１を押し付け接着用ローラ１０を中心に前下がりに傾倒させ、接着テープ切断補助用刃体１６を接着テープ１１，１２に押しつけた状態でホルダー本体１を操作することにより、両面接着テープ１９を接着テープ切断補助用刃体１６で破断することが出来る。
【００１９】
前記のように貼付することの出来る両面接着テープ１９を使用して塗装作業時の養生方法を説明すると塗装作業面の塗装領域と非塗装領域との間の境界線に、前記接着テープ１１の遊側縁１１ｂが合致するように、前記両面接着テープ１９を非塗装面上に粘着剤層１１ａを利用して貼り付ける。
【００２０】
この両面接着テープ１９の貼り付けに際しては、指先で接着テープ１１の粘着剤層を持たない表面１１ｃを補助的に押圧することもできる。
【００２１】
このように両面接着テープ１９を塗装作業面に貼付したならば、次に紙やプラステチックフィルム等の遮当な材科から成るフィルム状養生材を、その一側辺が塗装領域側へ突出しないように前記両面接着テープ１９に於ける接着テープ１２の粘着剤層１２ａ上に貼り付け、当該養生材により非塗装領域を適当巾にわたってカバーする。
【発明の概要】
【発明が解決しようとする課題】
【００２２】
前記特許文献１の接着テープロールホルダーは、両面接着テープ１９を得るためにのみ使用されるものではなく、例えば接着テープ１１，１２の粘着剤層ｌ１ａ，１２ａが何れも被貼付面１３側に面するように両接着テープロール６，７をセットして使用するときは、側辺重なり部で互いに接若された幅広の片面接着テープとして被貼付面に貼り付けることが出来るとある。
【００２３】
また、２個の接着テープロールを使用する場合のみならず，３個又はそれ以上の接着テープロールを使用するように構成することも可能であるとある。
【００２４】
しかし、接着テープ１１，１２の粘着剤層１１ａ，１２ａが互いに対面し、その側辺重なり部１７に於いて両接着テープ１１，１２が互いに接着しあう場合はよいが、前記のように接着テープ１１，１２の粘着剤層ｌ１ａ，１２ａが何れも被貼付面１３側に面するように両接着テープロール６，７をセットして使用するときは相互の接着テープの貼り付きが弱いものとなり、接着テープ１１，１２を十分一体化して貼ることができない。
【００２５】
また、右利き、左利きと異なった利き手の使用にはなっておらす、逆手では接着テープ１１，１２の上下が逆になってしまう。
【００２６】
本発明の目的は前記従来例の不都合を解消し、少なくとも２個の接着テープロールをセットして、接着テープを側辺同士一部重ねて接着一体化しながら被貼付面上に操り出すことの出来るものとして、重ねた接着テープを引き出す時に貼り合わせが強固なものとなり、しかも、右利き、左利きどちらでも、テープを入れ替えるだけで使える養生接着テープホルダーを提供することにある。
【課題を解決するための手段】
【００２７】
前記目的を達成するため請求項１記載の本発明は、少なくとも２個の接着テープロールを各ロ−ルから繰り出した接着テープが側辺に於いて一部重なるように、前後及び左右（軸心方向）に位置をずらせて回転可能に支持する支持部を備え、この各支持部に支持された各ロールから操り出した接着テープを一部重なる状態で被貼付面に押しつけるための押しつけ接着用繰り出し部を設けてなる養生接着テープホルダーにおいて、前記押しつけ接着用繰り出し部は円筒体または円柱体を隙間を存して相互に近接させ、かつ、ホルダー先端の上下方向中央に設けたことを要旨とするものである。
【００２８】
請求項１記載の本発明によれば、少なくとも２個の接着テープロールをセットして、接着テープを側辺同士一部重ねて接着一体化しながら被貼付面上に操り出すことが出来るが、特に重ねた接着テープを引き出す時に押しつけ接着用繰り出し部は円筒体または円柱体の隙間を通過させることにより、一方の円筒体または円柱体で繰り出し時のテープ押し付けを行なえ、貼り合わせが強固なものとなる。
【００２９】
また、前記押しつけ接着用繰り出し部はホルダー先端の上下方向中央に設けたことで、養生接着テープホルダー全体は横軸に対してほぼ対称形であり、押しつけ接着用繰り出し部の円筒体または円柱体はこれを２個隙間を存して相互に近接させて設けることで、養生接着テープホルダー全体を反転させて左右の進行方向をいれかえても、どちらか一方の円筒体または円柱体で同様の押し受け効果を得ることができ、右利き、左利きどちらでも、テープを入れ替えるだけで使えるものとなる。
【００３０】
請求項２記載の本発明は、押しつけ接着用繰り出し部の円筒体または円柱体は、一方を繰り出し時のテープ押し付け用とし、他の一方を非操り出し時のテープ保持用とすることを要旨とするものである。
【００３１】
請求項２記載の本発明によれば、押しつけ接着用繰り出し部の円筒体または円柱体は、一方を繰り出し時のテープ押し付け用とするが、右利き、左利きを変換するため養生接着テープホルダー全体を反転させ場合に繰り出し時のテープ押し付け用円筒体または円柱体を他の一方にすることができるとともに、残りの円筒体または円柱体に非操り出し時のテープの端を接着させて保持させておくことができる。
【００３２】
請求項３記載の本発明は、支持部は対向する側壁板間に設けることを要旨とするものである。
【００３３】
請求項３記載の本発明によれば、対向する側壁板間に設けることで、側壁板を対向させるように合わせた時に同時に支持部を形成できる。
【００３４】
また、対向する側壁板を相互に離間して開くようにして、一方の側壁板から突出させた軸体端部を開放することで、接着テープロールの入れ替えを簡単に行うことができる。
【００３５】
請求項４記載の本発明は、支持部は手で握り可能な把持体側面から突設して設けたことを要旨とするものである。
【００３６】
請求項４記載の本発明によれば、支持部は手で握り可能な把持体側面から突設して設けたことで、接着テープロールを外部にセットすることができ、接着テープロールの入れ替えを簡単に行うことができる。
【００３７】
請求項５記載の本発明は、支持部は、把持体側面から突設する軸とこれも嵌合する円柱体カートリッジであり、軸の突設根元部には厚さの異なる台板をそれぞれ設け、各円柱体カートリッジは前記軸に対する嵌合位置を調整可能としたことを要旨とするものである。
【００３８】
請求項５記載の本発明によれば、軸の突設根元部には厚さの異なる台板をそれぞれ設けることで、各支持部は台板の厚さの相違で接着テープロールの幅が異なるものを支持できる。
【００３９】
また、各円柱体カートリッジは前記軸に対する嵌合位置を調整可能としたので、支持部にセットする接着テープロールにずれや引き出す接着テープのよれで側辺重なり部が一定幅に確保できないような状態を修正できる。
【００４０】
請求項６記載の本発明は、円柱体カートリッジの軸に対する嵌合は、固定用割りパイプによるスペーサを介在させて行うことを要旨とするものである。
【００４１】
請求項６記載の本発明によれば、固定用割りパイプによるスペーサを介在させることで、円柱体カートリッジの軸に対する嵌合の固定を行うことができ、また、円柱体カートリッジの軸に対する嵌合位置を調整可能もスペーサを介在させたまま抜き差しすることで簡単に行える。
【発明の効果】
【００４２】
以上述べたように本発明の養生接着テープホルダーは、少なくとも２個の接着テープロールをセットして、接着テープを側辺同士一部重ねて接着一体化しながら被貼付面上に操り出すことの出来るものとして、重ねた接着テープを引き出す時に貼り合わせが強固なものとなり、しかも、右利き、左利きどちらでも、テープを入れ替えるだけで使えるものである。
【図面の簡単な説明】
【００４３】
【図１】本発明の養生接着テープホルダーの第１実施形態を示す分解斜視図である。
【図２】本発明の養生接着テープホルダーの第１実施形態を示す組み立てた状態の斜視図である。
【図３】本発明の養生接着テープホルダーの第１実施形態を示す平面図である。
【図４】本発明の養生接着テープホルダーの第１実施形態を示す側面図である。
【図５】本発明の養生接着テープホルダーの第１実施形態を示す使用状態の斜視図である。
【図６】本発明の養生接着テープホルダーの第２実施形態を示す分解斜視図である。
【図７】本発明の養生接着テープホルダーの第２実施形態を示す組み立てた状態の斜視図である。
【図８】本発明の養生接着テープホルダーの第２実施形態を示す平面図である。
【図９】本発明の養生接着テープホルダーの第２実施形態を示す側面図である。
【図１０】本発明の養生接着テープホルダーの第２実施形態を示す使用状態の斜視図である。
【図１１】本発明の養生接着テープホルダーの第３実施形態を示す分解斜視図である。
【図１２】本発明の養生接着テープホルダーの第３実施形態を示す使用状態の縦断側面図である。
【図１３】本発明の養生接着テープホルダーの第４実施形態を示す分解斜視図である。
【図１４】本発明の養生接着テープホルダーの第５実施形態を示す縦断側面図である。
【図１５】本発明の養生接着テープホルダーの第５実施形態を示す養生接着テープセット時の縦断側面図である。
【図１６】本発明の養生接着テープホルダーの第５実施形態を示す正面図である。
【図１７】本発明の養生接着テープホルダーの第５実施形態で使用するカートリッジの斜視図である。
【図１８】本発明の養生接着テープホルダーの第５実施形態を示す斜視図である。
【図１９】本発明の養生接着テープホルダーの第５実施形態を示す養生接着テープセット時の斜視図である。
【図２０】従来例を示す縦断側面図である。
【図２１】従来例を示す横断平面図である。
【図２２】従来例で貼着されるテープを示す斜視図である。
【発明を実施するための形態】
【００４４】
以下図面について本発明の実施の形態を詳細に説明する。図１は本発明の養生接着テープホルダーの第１実施形態を示す分解斜視図で、１はホルダー本体で、これは対向する側壁板２０ａ，２０ｂで構成した。
【００４５】
対向する側壁板２０ａ，２０ｂ間に少なくとも２個の接着テープロールを各ロ−ルから繰り出した接着テープが側辺に於いて一部重なるように、前後及び左右（軸心方向）に位置をずらせて回転可能に支持する支持部４、５を備える。
【００４６】
また、対向する側壁板２０ａ，２０ｂ間に前記各支持部４，５に支持された各ロールから操り出した接着テープを一部重なる状態で被貼付面に押しつけるための押しつけ接着用繰り出し部２４を設けてなる。
【００４７】
前記側壁板２０ａ，２０ｂは角部をアールとした横長矩形の金属板体からなり、本実施形態では軽量にするためアルミニウム合金を使用した。
【００４８】
前記支持部４，５は、一方の側壁板２０ａから接着テープロールを回転自在に外嵌得る軸体４ａ，５ａを突出させ、該軸体４ａ，５ａは磁石を内蔵し、合成樹脂の外側ケースで被覆した円柱で、図示は省略するが、螺子により側壁板２０ａに螺子止めされる。
【００４９】
軸体４ａ，５ａに外嵌する接着テープロール６，７は、これらから繰り出す接着テープ１１、１２の幅が異なることから（図５参照）、軸体４ａ，５ａの高さは異なるもので、図示の例では軸体４ａが軸体５ａよりも高くなっている。
【００５０】
前記支持部４，５を構成するのに、他方の側壁板２０ｂからは接着テープロール６，７の押さえとなる前記軸体４ａ，５ａよりも太径の押さえ部材２３ａ，２３ｂを突出させた。
【００５１】
押さえ部材２３ａ，２３ｂも前記軸体４ａ，５ａと同じく磁石を内蔵し、合成樹脂の外側ケースで被覆した円柱で、側壁板２０ｂに螺子２７で螺子止めされる。
【００５２】
前記軸体４ａ，５ａの内蔵する磁石（図示せず）と押さえ部材２３ａ，２３ｂの内蔵する磁石（図示せず）とは相互に磁力で吸着させたときに中心部が合致するものとする。
【００５３】
前記各ロールから操り出した接着テープを一部重なる状態で被貼付面に押しつけるための押しつけ接着用繰り出し部２４は、隙間を存して相互に近接させた円柱体２５（円筒体の場合もある）からなり、ホルダー本体の側辺の上下方向中央に設けた。
【００５４】
前記円柱体２５もアルミニウム合金による金属体であり、一端を固定して側壁板２０ａから並べて突設し、その先端は縮径段差の嵌合部２８とする。
【００５５】
一方、側壁板２０ｂには前記円柱体２５の端部嵌合部２８が挿入する嵌合孔２９を穿設した。
【００５６】
このようにして側壁板２０ａ，２０ｂを対向させ、軸体４ａ，５ａに対して押さえ部材２３ａ，２３ｂを接合して支持部４，５を形成し、円柱体２５の端部嵌合部２８を嵌合孔２９に挿入して押しつけ接着用繰り出し部２４を形成するが、養生接着テープホルダー全体は中央横軸に対して対称形であり、手で握るのに適した直線部を中央に有し、押しつけ接着用繰り出し部２４はホルダー本体側辺の上下方向中央に設けられる。
【００５７】
養生接着テープホルダー全体は対向する側壁板２０ａ，２０ｂ間はホルダー周囲の開口面３０として形成され、これにより支持部４，５に支持される接着テープロール６，７は側壁板２０ａ，２０ｂよりも大きくはみ出しても問題がない。
【００５８】
次に使用法について説明する。両支持部４，５に接着テープロール６，７をセットし、これら両支持部４，５に支持された接着テープロール６，７から繰り出した接着テープ１１、１２を下側で側辺同士互いに重ねた状態でホルダー本体１の接着用繰り出し部２４から引き出す。
【００５９】
前記接着用繰り出し部２４から引き出により、接着テープ１２の粘着剤層が接着テープ１１に重なり、接着テープ１２と接着テープ１１が一体化して、かつ、被貼付面に貼り付けられる。
【００６０】
接着テープ１２と接着テープ１１の重なりは側辺同士一部重ねてなるが、接着テープ１２の側辺が接着テープ１１の側辺よりもはみ出すもので、これにより上側の接着テープ１２を剥がした場合にははみ出し分だけ養生が狭まる。
【００６１】
また、接着テープ１２と接着テープ１１は接着用繰り出し部２４の一方の円柱体２５をもって押付けが可能である。
【００６２】
さらに、相並ぶ他方の円柱体２５はこれを非操り出し時の接着テープの端と止め、テープ保持に用いることができる。
【００６３】
逆手、左利きの使用の場合は、接着テープロール６，７はこれらを入れ替えるだけで、同様に接着用繰り出し部２４から引き出により、接着テープ１２の粘着剤層が接着テープ１１に重なり、接着テープ１２と接着テープ１１が一体化して、かつ、被貼付面に貼り付けられる。
【００６４】
このような逆手の場合も押しつけ接着用繰り出し部２４の円筒体または円柱体２５はこれを２個隙間を存して相互に近接させて設けることで、同様の効果を得ることができる。
【００６５】
また、逆手、左利きの使用の場合は、接着テープロール６，７はこれらを入れ替えや、通常使用で接着テープロール６，７の補充交換の場合には、軸体４ａ，５ａと押さえ部材２３ａ，２３ｂとは、磁力により分離可能に接合されており、対向する側壁板２０ａ，２０ｂを分けるのに、磁力による吸引力に抗して簡単に解除して、軸体４ａ，５ａに接着テープロールを着脱できる状態にすることができる。
【００６６】
以上２連の場合について述べたが、型を変えることで２連、３連、４連と必要に応じてテープ数を増すことが可能である。
【００６７】
図６〜図１０は３連の場合を示すもので、３個の接着テープロール６，７，７′を接着テープロール支持部４，５，５′で支持した。
【００６８】
使用法は前記２連の場合と同様であるが、養生接着テープは３重に重ねて貼り付けることができ、ベース塗料（本塗り）を２度に分けて行い、その上にトップコートの塗装を施す場合には、塗料を塗るごとに、養生接着テープを一枚ずつ剥がして、塗装面を広げることが可能である。
【００６９】
図１１、図１２は本発明の他の実施形態を示すもので、一方の側壁板２０ａは対向する側壁板２０ａ，２０ｂ間を囲う周壁３１を突出させ、テープホルダー全体をケース体とした。
【００７０】
側壁板２０ａ，２０ｂはいずれも合成樹脂製であり、これらが組み合う本発明の養生接着テープホルダーは、ホルダー本体１は中央に直線部を上下に有する長円形で、養生接着テープホルダーの全体は横軸に対して対称形である。
【００７１】
各支持部に支持された各接着テープロール６，７から操り出した接着テープ１１，１２を側辺に於いて一部重なる状態で被貼付面に押しつけるための押しつけ接着用繰り出し部２４を構成する円柱体２５は内部を中空とした円筒体としてホルダー本体１を合成樹脂で成形する際にホルダー本体１の構成壁と一体成形した。
【００７２】
また、軸体４ａ，５ａと押さえ部材２３ａ，２３ｂとは嵌合により分離可能に接合するものあり、軸体４ａ，５ａを円筒とするとともに、押さえ部材２３ａ，２３ｂからはこれら軸体４ａ，５ａの内空に嵌める嵌合部材２２ａ，２２ｂを突設した。
【００７３】
さらに、側壁板２０ｂからは円柱体２５に挿入する円柱突起２６を設け、この円柱突起２６と前記押しつけ接着用繰り出し部２４の円柱体２５（円筒体）とで側壁板２０ａ，２０ｂ相互の係止部を形成する。
【００７４】
このようにして、周壁３１を有する側壁板２０ａに対して側壁板２０ｂは蓋となるが、軸体４ａ，５ａに押さえ部材２３ａ，２３ｂを係合部材２２ａ，２２ｂにより嵌合させ、また、円柱突起２６を円柱体２５に嵌めることで、蓋である側壁板２０ｂの係止ができる。
【００７５】
図１３はこのようにケース状とした場合の３連の場合を示す。
【００７６】
図１４〜図１９は本発明の第５実施形態を示すものであり、前記実施形態が少なくとも２個の接着テープロールを各ロ−ルから繰り出した接着テープが側辺に於いて一部重なるように、前後及び左右（軸心方向）に位置をずらせて回転可能に支持する支持部はこれを対向する側壁板間などホルダー内に設けるようにしたのを、本実施形態は接着テープロールの支持部３２, ３２′を外側に出して設けるようにしたものである。
【００７７】
このように接着テープロールの支持部３２, ３２′を外側に出して設けることにより接着テープロールのセットや位置調整が簡単に行える。
【００７８】
図中３３は横長直方体の手で握り可能な把持体であり、これ合成樹脂または金属で形成した。合成樹脂の場合には透明または半透明としてもよい。
【００７９】
前記支持部３２, ３２′は、この把持体３３の側部に横並びで形成するが、把持体３３の側面から突設する金属製円柱形状の軸３４とこれも嵌合する円柱体カートリッジ３５からなるものとする。
【００８０】
軸３４は突設する根元部に厚さの異なる台板（ワッシャー）３６をそれぞれ設け、軸３４は把持体３３のの裏側から貫通突出させるネジ３７で把持体３３に台板（ワッシャー）３６ともどもに固定した。
【００８１】
台板（ワッシャー）３６は円柱体カートリッジ３５の軸３４への嵌合位置を設定するもので、中央に位置する支持部３２の台板（ワッシャー）３６は支持部３２′のそれよりも厚く、円柱体カートリッジ３５にセットする接着テープロール６、７は支持部３２の接着テープロール６の方が支持部３２′の接着テープロール７よりも前に出る。
【００８２】
円柱体カートリッジ３５は花びら形の摘み部３５ａとこれと一体の軸部３５ｂからなり、摘み部３５ａと軸部３５ｂとの間には接着テープロール押さえ込み用の段差３５ｃを形成してある。なお、支持部３２, ３２′のいずれの円柱体カートリッジ３５も同じ大きさのものとして、互換可能なものとすることで部品点数を減らすことができる。
【００８３】
円柱体カートリッジ３５の軸部３５ｂの貫通孔内には図１７に示すように固定用割りパイプによるスペーサ３８を収め、軸部３５ｂの先端にネジ止めで取り付ける蓋３９で外へ飛び出さないように押さえ込んだ。
【００８４】
前記円柱体カートリッジ３５はスペーサ３８を介して軸３４に位置調整可能に嵌合する。
【００８５】
前記各接着テープロール６，７から操り出した接着テープ１１，１２を一部重なる状態で被貼付面に押しつけるための押しつけ接着用繰り出し部２４は、隙間を存して相互に近接させた円柱体２５からなり、把持体３３の先端近くで側面から突設して設けた。
【００８６】
これら円柱体２５による押しつけ接着用繰り出し部２４は把持体３３の上下方向中央に設けるものであり、前記支持部３２に横並びとなり、養生接着テープホルダー全体は中央横軸に対して対称形であり、手で握るのに適した直線部を把持体３３に有し、押しつけ接着用繰り出し部２４は先端近くの上下方向中央に設けられる。
【００８７】
なお、把持体３３の前記接着用繰り出し部２４を設けた側と反対側に吊下げ用孔４０を突出形成した。吊下げ用孔４０は紐や鎖を通すためのものであり、この吊下げ用孔４０の存在で厳密な意味では中央横軸に対して対称形とはならない。
【００８８】
次に使用法について説明する。円柱体カートリッジ３５に接着テープロール６，７をセットし、この円柱体カートリッジ３５を軸３４に位置調整可能に嵌合することで、両支持部３２、３２′に接着テープロール６，７をセットできる。
【００８９】
円柱体カートリッジ３５の軸３４に対する嵌合は軸３４を軸部３５ｂの貫通孔に差し込み、スペーサ３８のカシメにより固定する。なお、各接着テープロール６，７の回転が確保できれば、軸部３５ｂはこれを非回転としても、また、ローラとして回転するものとしてもよい。
【００９０】
図１９に示すように、これら両支持部３２、３２′にに支持された接着テープロール６，７から繰り出した接着テープ１１、１２を下側で側辺同士互いに重ねた状態で接着用繰り出し部２４から引き出す。
【００９１】
前記接着用繰り出し部２４から引き出により、接着テープ１２の粘着剤層が接着テープ１１に重なり、接着テープ１２と接着テープ１１が一体化して、かつ、被貼付面に貼り付けられる。
【００９２】
接着テープ１２と接着テープ１１の重なりは側辺同士一部重ねてなるが、接着テープ１２の側辺が接着テープ１１の側辺よりもはみ出すもので、これにより上側の接着テープ１２を剥がした場合にははみ出し分だけ養生が狭まる。
【００９３】
また、接着テープ１２と接着テープ１１は接着用繰り出し部２４の一方の円柱体２５をもって押付けが可能である。
【００９４】
さらに、相並ぶ他方の円柱体２５はこれを非操り出し時の接着テープの端と止め、テープ保持に用いることができる。なお、円柱体２５には外周面に縦方向に溝２５ａを形成して接着テープが剥がし易いようにした。
【００９５】
逆手、左利きの使用の場合は、接着テープロール６，７はこれらを入れ替えるだけで、同様に接着用繰り出し部２４から引き出により、接着テープ１２の粘着剤層が接着テープ１１に重なり、接着テープ１２と接着テープ１１が一体化して、かつ、被貼付面に貼り付けられる。
【００９６】
このような逆手の場合も押しつけ接着用繰り出し部２４の円柱体２５はこれを２個隙間を存して相互に近接させて設けることで、同様の効果を得ることができる。
【００９７】
また、逆手、左利きの使用の場合は、接着テープロール６，７はこれらを入れ替えや、通常使用で接着テープロール６，７の補充交換の場合には円柱体カートリッジ３５を外して再度付け直せばよい。
【００９８】
さらに、円柱体カートリッジ３５はこれを軸３４に対して位置調整することも可能であり、接着テープロール６，７の位置ずれを生じた場合や引き出だす接着テープ１１や接着テープ１２にねじれやよりが生じた場合の修正を行うことができる。
【００９９】
この第５実施形態も以上２連の場合について述べたが、型を変えることで２連、３連、４連と必要に応じてテープ数を増すことが可能である。
【０１００】
また、すべての実施形態において、接着テープロール６，７は双方とも養生接着テープということで説明したが、一方をマスカーテープのロールとしてマスカーテープと養生テープを組み合わせることも可能である。
【０１０１】
マスカーテープとは、養生テープ（マスキングテープ）と養生シート（ポリシート）がひとつになったテープであり、このマスカーテープを貼る場合に、さらに、マスキングテープを重ねる場合に本発明は使用できる。
【符号の説明】
【０１０２】
１…ホルダー本体                １ａ…側板内面
２…開閉側板                    ３…蝶番
４，５，５′…接着テープロール支持部
４ａ，５ａ，５ｂ′…軸体        ６，７，７′…接着テープロール
８，９…押さえ部材              ８ａ，９ａ…嵌合部
８ｂ，９ｂ…ストッパー部
１０…押し付け接着用ローラ      １１，１２…接着テープ
１１ａ，１２ａ…粘着剤層        １１ｂ…遊側縁
１１ｃ…粘着剤層を持たない表面
１３…被貼付面                  １４…先端開口部
１５…支軸                      １６…接着テープ切断補助用刃体
１７…側辺重なり部              １８…矢印
１９…両面接着テープ            ２０ａ，２０ｂ…側壁板
２１…段部                      ２２a, ２２ｂ, ２２ｃ…嵌合部材
２３ａ，２３ｂ，２３ｂ′…押さえ部材      
２４…接着用繰り出し部
２５…円筒体または円柱体        ２６…円柱突起
２７…螺子                      ２８…端部嵌合部
２９…嵌合孔                    ３０…開口面
３１…周壁                      ３２, ３２′…支持部
３３…把持体                    ３４…軸
３５…円柱体カートリッジ        ３５ａ…摘み部
３５ｂ…軸部                    ３５ｃ…段差
３６…台板（ワッシャー）        ３７…ネジ
３８…スペーサ                  ３９…蓋
４０…吊下げ用孔
【図１】
2019137553.tif 000003
【図２】
2019137553.tif 000004
【図３】
2019137553.tif 000005
【図４】
2019137553.tif 000006
【図５】
2019137553.tif 000007
【図６】
2019137553.tif 000008
【図７】
2019137553.tif 000009
【図８】
2019137553.tif 000010
【図９】
2019137553.tif 000011
【図１０】
2019137553.tif 000012
【図１１】
2019137553.tif 000013
【図１２】
2019137553.tif 000014
【図１３】
2019137553.tif 000015
【図１４】
2019137553.tif 000016
【図１５】
2019137553.tif 000017
【図１６】
2019137553.tif 000018
【図１７】
2019137553.tif 000019
【図１８】
2019137553.tif 000020
【図１９】
2019137553.tif 000021
【図２０】
2019137553.tif 000022
【図２１】
2019137553.tif 000023
【図２２】
2019137553.tif 000024